(57)【要約】【課題】湯たんぽを使うのに、熱湯を入れて蓋をするときや、カバーに入れるとき、湯たんぽに触れて熱い思いをすることもあった。また、睡眠中無意識のうちに長時間湯たんぽに接して低温火傷をする事故があった。本発明は、熱い思いをせず、簡単で経済的に使え、低温火傷を予防するために、湯たんぽ本体とケースを一体型にした湯たんぽを提供する。【解決手段】湯たんぽ本体を入れる略倍容量で、密閉性のある蓋付ケース設け、蓋の外側に持ち手を設け、ケースと、ケースの蓋の内側には、湯たんぽ本体を中心部に位置させると共に、熱気層をつくるための保持部を数カ所設け、開口部の長い一辺はケースとケースの蓋を繋ぎ、開閉自在にし、相対する辺の外側にはケースの蓋を止める留め具を設けたケースと一体型の湯たんぽ。【選択図】図２
2012217832.tif 000002
【特許請求の範囲】
【請求項１】
湯たんぽ本体を収納する略倍容量で、密閉性のある蓋付ケースを設け、ケースの内側には、湯たんぽ本体を中心部に位置させると共に、熱気層をつくるための保持部を数カ所設けている事を特徴とした湯たんぽ。
【発明の詳細な説明】
【技術分野】
【０００１】本発明は、湯たんぽ本体を、密閉性のある蓋付ケースに収納した一体型の形態で、軽くて使いやすく、安全性を高めた湯たんぽに関するものである。
【背景技術】
【０００２】従来、湯たんぽには金属製、陶製、プラスチック製、などがあるが、湯入り口が小さめで、夏、氷等を入れて使うには不向きである。湯たんぽでの低温火傷の問題に対処するのに、特許文献１では空気層を設けてあるが部分的であって、通気口により熱気を外部に伝導させる形態である。特許文献２は熱源カバーに湯たんぽを入れる時、熱いのでタオルや、ミトンを使う必要があり、更に、空気層となる空気封入体に、空気を入れなければならない手間がかかることと、空気層の下側には、湯たんぽの重量がかかるので湯たんぽを中心に位置させる空気圧の加減がむずかしいと思われる。
【先行技術文献】
【特許文献】
【０００３】
【特許文献１】特開２０１０−２１３７６２号公報
【特許文献２】特開２０１１−２５３号公報
【発明の概要】
【発明が解決しようとする課題】
【０００４】従来の湯たんぽは、熱湯を入れて蓋を閉めるときや、湯たんぽをカバーに入れるとき熱くなった湯たんぽに触らなければならいが、タオルや、ミトンを使用しても、思わず手が触れ熱い思いをすることがある。さらに、現在、使用されている多数の湯たんぽは布カバーに入れて使われているが、湯たんぽの直接熱が人体につたわりやすく、睡眠中無意識のうちに湯たんぽが長時間人体に接していた場合、低温火傷を起すのを防ぐのは難しい現状がある。
夏、熱中症等で体温を冷やすには、氷嚢類が数個必要となるが、湯たんぽを活用させるためには、氷を入れるのには湯の入口が小さく使いにくい。
本発明は、以上の問題を解決するためのものである。
【課題を解決するための手段】
【０００５】湯たんぽ本体の上部に設けた湯等の入口部に、止水用パッキンと、ネジ仕様の蓋を設け、別に湯たんぽ本体を収納する略倍容量で、密閉性のある蓋付ケースを設け、ケースの蓋の外側に持ち手を設ける。ケースと、ケースの蓋の内側には、湯たんぽ本体を中心部に位置させると共に、熱気層をつくるための保持部を数カ所設け、開口部の長い一辺はケースとケースの蓋を繋ぎ、開閉自在にし、相対する辺の外側にはケースの蓋を止める留め具を設けるものとする。
以上の構成よりなるケースと一体型の湯たんぽ。
【発明の効果】
【０００６】  本発明は、従来のように湯たんぽの蓋をする時や、カバーに入れる時、熱い思いをしないために、湯たんぽ本体を収納する密閉性のあるケースを用いる。あらかじめ湯たんぽ本体をケースに収めた状態で熱湯を入れると、湯たんぽ本体はすぐ熱くなるが、熱気層があるためケースは熱くなりすぎることはなく、ケースを手で押さえて固定できるので、湯たんぽ本体に直接触らないで蓋をする事ができる。ケースの蓋をして素手でカバーに入れられ、熱い思いをすることもない。【０００７】  湯たんぽ本体と、保持部を設けた密閉性のあるケースを一体型にすることで、ケースの蓋を閉めるとケースの中の、空気の層は湯たんぽ熱で暖められ暖かい熱気層に変り、ケース全体も発熱体となって、ケースを通しての放熱で熱量を充分に得られるものである。
湯熱と熱気の違いは、風呂の湯４５℃以上だと熱くて我慢できないが、サウナの熱気には８０℃〜９０℃でも入浴可能であるように、体感温度の違いであり熱気で暖められたケース全体は素手で持つことができる。わざわざ空気を吹き込んで空気層を作るのではなく、ケースの蓋を閉めるだけで、湯たんぽ本体を包むように一定の熱気層が作られるものである。ケースがあることで、熱い湯たんぽが直接人体に接することもなくなり低温火傷を少なくする対策の１つになる。
本発明の湯たんぽは素材や形を特に限定するものではないが、湯たんぽ本体も、ケースもプラスチック類や、他の新素材で成型すれば、丸形、角形、平面形等いろいろ形ができ平面形は、テーブルの下や机の下で、足温器にもなるケースと一体型の湯たんぽである。
【図面の簡単な説明】
【０００８】
【図１】ケースの斜視図
【図２】図１のＡ−Ａ′断面図
【発明を実施するための形態】
【０００９】  以下、本発明の実施の形態を説明する。
（イ）湯たんぽ本体（１）の上部に設けた大きめの湯等の入口部（２）に、止水用のパッキン（３）と、ネジ仕様の蓋（４）を設ける。
（ロ）湯たんぽ本体（１）を収納する略倍容量くらいで密閉性のある蓋付のケース（５）を設け、ケースの蓋（６）の外側に持ち手（７）を設ける。
（ハ）ケース（５）とケースの蓋（６）の内側には、湯たんぽ本体（１）を中心部に位置させると共に、熱気層（８）をつくるための保持部（９）を数カ所設け、保持部（９）には断熱性を持たせる。
（ニ）開口部（１０）の長い一辺はケース（５）とケースの蓋（６）を繋ぎ、開閉自在とし、相対する辺の外側にケースの蓋（６）を止める、留め具（１１）を設ける。
本発明は以上のような構造である。
【００１０】  本発明の湯たんぽを使用するときは、留め具（１）を外してケースの蓋（６）を開け、湯たんぽ本体（１）をケース（５）に入れた状態で蓋（４）を開け熱湯を入口部（２）いっぱいまで注ぎ、ケース（５）を手で押さえ固定し、直接湯たんぽ本体（１）に触ることなく蓋（４）をするとことができるので熱い思いをすることはない。
ケースの蓋（６）を閉め、留め具（１１）で止めると、湯たんぽ本体（１）と、ケース（５）が一体型の湯たんぽとなる。ケースの蓋（６）を閉めると同時に、ケース（５）の内側に込められた空気は、湯たんぽ本体（１）の湯熱で暖められて熱気層（８）に変わりケース（５）全体も暖かい湯たんぽ状態になる。湯たんぽ本体（１）の直接熱は、保持部（９）で遮断されてケース（５）の上下左右どこをさわっても熱すぎることはなく、素手で持ちカバーに入れ使うことができるもので、保持部（９）に断熱性があれば、より安全性の高い湯たんぽとなる。
本発明の湯たんぽは、一般の湯たんぽの湯量２ｌに比べ、同じ２ｌ容量の、密閉性のある蓋ケース（５）の中に収納する湯たんぽ本体（１）の湯量は、半量の１ｌで充分な熱量を得ることができるものである。夜、９５℃位の湯熱で計測した場合、寝具の中で８時間経過後には約５０℃下がり、翌朝４５℃位の湯温は保たれている。湯量が少ない分、重量も半分に軽くなってケース（５）の持ち手（７）は、持ち運びをしやすくし、特に高齢者に使い勝手がよい。当然湯を沸かす時間にも差が出る。２ｌの水道水１０℃をガス全開で加熱し、沸騰しはじめる９３℃位まで１１分かかるが、１ｌ同じ条件では６分１５秒と、約５分短縮となり、水量は半減でき、各料金を減額することができるので経済的でもある。使用後の水をそのままにしておけば地震等の緊急時には水の確保にもなる。先人たちもしてきたように、４５℃の湯は朝の洗顔には丁度よく、特に冬、寒冷地では合理的に利用できる。
本発明の湯たんぽ本体（１）を、ケース（５）に収納した一体型の形態にする事により、従来の湯たんぽより多少高さが増すが、掛け布団との間にできる空間に両足先を置くと、布団の重みが足にかからず足が自由に動いて楽である。
夏には、大きく設けた湯たんぽ本体（１）の入口部（２）から水道水と氷を入れ、０℃位の冷水にして冷やすことを目的に使用できる。熱帯夜には抱き枕としてもよく、熱中症などで、脇や、鼠径部を冷すために氷嚢類が数個必要な時にも使え、湯たんぽ本体（１）のみでも、ケース（５）との一体型でも、使用目的に合わせた対応も可能である。
【符号の説明】
【００１１】１  湯たんぽ本体
２  入口部
３  パッキン
４  蓋
５  ケース
６  ケースの蓋
７  持ち手
８  熱気層
９  保持部
１０  開口部
１１  留め具
【図１】
2012217832.tif 000003
【図２】
2012217832.tif 000004